(57)【特許請求の範囲】
【請求項１】
略円弧状部を有した給油タンクと、前記給油タンクの円弧状部に配設した口金と、前記口金に着脱自在に係合し弁手段を有するキャップと、前記キャップに保持され外周側に突出するキャップ開閉手段とを有するカートリッジ式給油タンク。
【請求項２】
開閉手段は、キャップの根元側に保持した請求項１記載のカートリッジ式給油タンク。
【請求項３】
開閉手段は、ワイヤ部材で構成した請求項１または２記載のカートリッジ式給油タンク。
【請求項４】
開閉手段は、プレート部材で構成した請求項１または２記載のカートリッジ式給油タンク。
【請求項５】
開閉手段は、給油タンクの口金側投影面内に構成するよう保持した請求項１ないし４のいずれか１項に記載のカートリッジ式給油タンク。
【請求項６】
開閉手段は、燃焼器具への装着時、前記開閉手段を支持する給油タンク受けの外周側に、キャップ先端側に屈曲する把手部を構成した請求項１ないし５のいずれか１項に記載のカートリッジ式給油タンク。
【発明の詳細な説明】
【０００１】
【発明の属する技術分野】
本発明は、ファンヒーターなどの石油燃焼器具に使用するカートリッジ式給油タンクに関するものである。
【０００２】
【従来の技術】
従来この種のカートリッジ式給油タンクは、図６に示されるように、給油タンク１の一壁面に配設した口金２に、弁手段３を内部に有するキャップ４を直接、回転操作により着脱自在に係合するようになっていた。
【０００３】
【発明が解決しようとする課題】
しかしながら、従来のカートリッジ式給油タンクでは、給油後に給油タンク１の本体を掴んで持ち上げ、取手５を持った後に給油タンク１を反転させるので、大容量給油タンクほど持ち上げにくいという課題を有していた。
【０００４】
さらに燃焼器具に装着後は、キャップ４の先端周辺が燃料に接触するので、再度反転して給油する際に付着した燃料がキャップ４から垂れてきて着脱時に手が汚れるという課題を有していた。
【０００５】
【課題を解決するための手段】
本発明は上記課題を解決するために、略円弧状部を有した給油タンクと、前記給油タンクの円弧状部に配設した口金と、前記口金に着脱自在に係合し弁手段を有するキャップと、前記キャップに保持され外周側に突出するキャップ開閉手段とを構成したものである。
【０００６】
上記発明によれば、突出した開閉手段と略円弧状の給油タンクの間に指が入るので、給油後に開閉手段を持って容易に給油タンクを持ち上げることができるとともに、燃料が付着しない開閉手段を回転操作して着脱するので、手の汚れを防止することができる。
【０００７】
【発明の実施の形態】
本発明は、円弧状部を有した給油タンクと、前記給油タンクの円弧状部に配設した口金と、前記口金に着脱自在に係合し弁手段を有するキャップと、前記キャップに保持され外周側に突出するキャップ開閉手段とを構成したカートリッジ式給油タンクであり、突出した開閉手段と円弧状の給油タンクの間に指が入るので、給油後に開閉手段を持って容易に給油タンクを持ち上げることができるとともに、燃料が付着しない開閉手段を回転操作して着脱するので、手の汚れを防止することができる。
【０００８】
また、開閉手段は、キャップの根元側に保持した構成としたカートリッジ式給油タンクであり、給油タンクを燃焼器具に装着した際に、弁手段を押し上げる給油タンク受けに開閉手段が支持されるとともに、器具側の油受皿の油面高さが決まることになるので、油受皿の増油量は実質開閉手段の略高さ分のみの最低限に抑えることができる。
【０００９】
また、開閉手段は、ワイヤ部材で構成したカートリッジ式給油タンクであり、開閉手段と円弧状の給油タンクの間の空間部を多く形成することができるので、指が入りやすく給油後の給油タンクを容易に持ち上げることができる。
【００１０】
また、開閉手段は、プレート部材で構成したカートリッジ式給油タンクであり、開閉手段をキャップと一体化することができるので、安価な開閉手段を提供することができる。
【００１１】
また、開閉手段は、給油タンクの口金側投影面内に構成したカートリッジ式給油タンクであり、開閉手段が給油タンク外に突出しないので、運搬時に特に気を使う必要もなく、燃焼器具への着脱も邪魔にならず、燃焼器具側の変更対応を皆無にすることができる。
【００１２】
さらに、開閉手段は、燃焼器具への装着時、開閉手段を支持する給油タンク受けの外周側に、キャップ先端側に屈曲する把手部を構成したカートリッジ式給油タンクであり、開閉手段の把手部をさらに容易に持つことができるので、給油後の給油タンクをさらに容易に持ち上げることができる。
【００１３】
以下、本発明の一実施例について図面を用いて説明する。
（実施例１）
図１は本発明の実施例１のカートリッジ式給油タンクの外観図（ａ）は上面図（ｂ）は側面図である。また図２はカートリッジ式給油タンクを燃焼器具に装着時の要部断面図である。
【００１４】
図において、１は石油燃焼器具の給油タンク、２は前記給油タンク１の円弧状を有した一壁面に配設された口金であり、前記口金２に回転操作により弁手段３を有したキャップ４が着脱自在に係合されている。５は前記口金２と逆方向に配設された運搬用の取手で回動自在に構成されている。
【００１５】
６は前記キャップ４の外周側に突出する開閉手段で、前記キャップ４とは溶接等により固着され、亜鉛めっき等の表面処理が施されている。７は燃焼器具側の油受皿、８は前記油受皿７に配設された給油タンク受けであり、前記給油タンク１の装着時に前記弁手段３を押し上げるとともに、前記開閉手段６を支持するように構成されている。
【００１６】
また、前記開閉手段６は、前記キャップ４の根元側に固着されている。
また、前記開閉手段６は、ワイヤによる部材で形成されている。
【００１７】
次に前記構成において、その作用効果を説明する。カートリッジ式給油タンクは、給油タンク１と、前記給油タンク１の円弧状部に配設した口金２と、前記口金２に着脱自在に係合し弁手段３を有するキャップ４と、前記キャップ４に保持され外周側に突出するキャップ開閉手段６とからなり、突出した開閉手段６と円弧状の給油タンク１の間に指が入るので、給油後に開閉手段６を持って容易に給油タンク１を持ち上げることができるとともに、燃料が付着しない開閉手段６を回転操作して着脱するので、手の汚れを防止することができる。
【００１８】
しかも開閉手段６は比較的大きな外径となるので、結果的に軽い開閉力でキャップ４を着脱することができるとともに、キャップ４の締付も確実なものとなる。
【００１９】
また、開閉手段６は、キャップ４の根元側に保持して構成することにより、給油タンク１を燃焼器具に装着した際に、弁手段３を押し上げる給油タンク受け８に開閉手段６が支持されるとともに、器具側の油受皿７の油面高さが決まることになるので、油受皿７の増油量は実質開閉手段６の略高さ分のみの最低限に抑えることができる。
【００２０】
また、開閉手段６は、ワイヤ部材で構成することにより、開閉手段６と円弧状の給油タンク１の間の空間部を多く形成することができるので、指が入りやすく給油後の給油タンク１を容易に持ち上げることができる。
【００２１】
（実施例２）
図３は本発明の実施例２のカートリッジ式給油タンクの外観図で（ａ）は上面図（ｂ）は側面図である。
【００２２】
実施例１と異なる点は、開閉手段６をプレート部材で構成したところである。次に作用効果について説明する。開閉手段６をキャップ４と一体化することができるので、安価な開閉手段６を提供することができる。また、開閉手段６の外径側にキャップ４の先端方向に向けて絞りビードやバーリング穴を形成することにより、指が掛かりやすくなるので、給油後の給油タンク１をさらに容易に持ち上げることができる。
【００２３】
また、実施例１と合わせて説明すると、開閉手段６は、給油タンク１の口金２側投影面内に構成することにより、開閉手段６が給油タンク１外に突出しないので、運搬時に特に気を使う必要もなく、燃焼器具への着脱も邪魔にならず、燃焼器具側の変更対応を皆無にすることができる。
【００２４】
（実施例３）
図４は本発明の実施例３のカートリッジ式給油タンクの外観図で（ａ）は上面図（ｂ）は側面図である。また図５はカートリッジ式給油タンクを燃焼器具に装着時の要部断面図である。
【００２５】
実施例１および実施例２と異なる点は、開閉手段６は、燃焼器具への装着時、開閉手段６を支持する給油タンク受け８の外周側に、キャップ４先端側に屈曲する把手部９を構成したところである。
【００２６】
次に作用効果について説明する。開閉手段６の把手部９をさらに容易に持つことができるので、給油後の給油タンク１をさらに容易に持ち上げることができる。
【００２７】
なお、実施例２におけるプレート部材の開閉手段６においても、同様に実施することができる。
【００２８】
【発明の効果】
前記説明から明らかなように本発明によれば、カートリッジ式給油タンクは、円弧状部を有した給油タンクと、前記給油タンクの円弧状部に配設した口金と、前記口金に着脱自在に係合し弁手段を有するキャップと、前記キャップに保持され外周側に突出するキャップ開閉手段とからなり、突出した開閉手段と円弧状の給油タンクの間に指が入るので、給油後に開閉手段を持って容易に給油タンクを持ち上げることができるとともに、燃料が付着しない開閉手段を回転操作して着脱するので、手の汚れを防止することができる。しかも開閉手段は大きな外径となるので、結果的に軽い開閉力でキャップを着脱することができるとともに、キャップの締付も確実なものとなる。
【００２９】
また、開閉手段は、キャップの根元側に構成することにより、給油タンクを燃焼器具に装着した際に、弁手段を押し上げる給油タンク受けに開閉手段が支持されるとともに、器具側の油受皿の油面高さが決まることになるので、油受皿の増油量は実質開閉手段の略高さ分のみの最低限に抑えることができる。
【００３０】
また、開閉手段は、ワイヤ部材で構成することにより、開閉手段と円弧状の給油タンクの間の空間部を多く形成することができるので、指が入りやすく給油後の給油タンクを容易に持ち上げることができる。
【００３１】
また、開閉手段は、プレート部材で構成することにより、開閉手段をキャップと一体化することができるので、安価な開閉手段を提供することができる。
【００３２】
また、開閉手段は、給油タンクの投影面内に構成することにより、開閉手段が給油タンク外に突出しないので、運搬時に特に気を使う必要もなく、燃焼器具への着脱も邪魔にならず、燃焼器具側の変更対応を皆無にすることができる。
【００３３】
さらに、開閉手段は、燃焼器具への装着時、開閉手段を支持する給油タンク受けの外周に、キャップ先端側に屈曲する把手部を構成することにより、開閉手段の把手部をさらに容易に持つことができるので、給油後の給油タンクをさらに容易に持ち上げることができる。
【図面の簡単な説明】
【図１】（ａ）本発明の実施例１のカートリッジ式給油タンクの上面外観図
（ｂ）同側面外観図
【図２】同カートリッジ式給油タンクを燃焼器具に装着した際の要部断面図
【図３】（ａ）本発明の実施例２のカートリッジ式給油タンクの上面外観図
（ｂ）同側面外観図
【図４】（ａ）本発明の実施例３のカートリッジ式給油タンクの上面外観図
（ｂ）同側面外観図
【図５】同カートリッジ式給油タンクを燃焼器具に装着した際の要部断面図
【図６】従来のカートリッジ式給油タンクの斜視図
【符号の説明】
１  給油タンク
２  口金
３  弁手段
４  キャップ
６  開閉手段
８  給油タンク受け
９  把手部
【図１】
0003769837.tif 000002
【図２】
0003769837.tif 000003
【図３】
0003769837.tif 000004
【図４】
0003769837.tif 000005
【図５】
0003769837.tif 000006
【図６】
0003769837.tif 000007